(57)【特許請求の範囲】
【請求項１】
台座部と、該台座部に固定される筒状支柱部とを有し、
該筒状支柱部は、筒状体と、該筒状体の内側に収容されている発光部と、該筒状体の内側に気流を生成する気流生成部とを有し、
前記発光部は、紫外線を発生する紫外線発生部を有し、
該紫外線発生部は、前記筒状体の内側に配置し得る横幅と該横幅よりも大きい縦幅とを有する縦長板状の基板と、前記紫外線を発生する複数の紫外線発光ダイオードとを有し、該複数の紫外線発光ダイオードが前記横幅に沿った方向に複数列並び、かつ前記縦幅に沿った方向に複数列並ぶようにして前記基板上に配置されている紫外線ＬＥＤモジュールを用いて形成され、
一対の側面パネルと、底面パネルとを有し、かつ該一対の側面パネルおよび底面パネルがそれぞれ前記基板の前記縦幅よりも大きい長さを有する板状部材であり、前記側面パネルそれぞれの間隔が前記基板の前記横幅に応じた大きさを有する縦長構造で断面概ねＵ字状に形成されているガイド部材を更に有し、
該ガイド部材は、前記一対の側面パネルおよび底面パネルが前記筒状体の軸方向に沿うようにして、かつ前記一対の側面パネルそれぞれの前記底面パネルから最も離れている端部および前記底面パネルと前記一対の側面パネルとがつながった部分の角部がともに前記筒状体の内側に密接して収容され、
前記紫外線発生部の前記基板および前記気流生成部が前記底面パネルに固定され、かつ前記一対の側面パネル、前記底面パネルおよび前記筒状体によって囲まれるようにして、前記筒状体の内側に収容されているスタンド装置。
【請求項２】
前記ガイド部材の前記一対の側面パネル、前記底面パネルおよび前記筒状体によって囲まれ、かつ前記軸方向に沿った縦長領域を前記気流生成部によって生成される前記気流が通り、かつ該縦長領域を前記気流が通るときに前記複数の紫外線発光ダイオードが発生する前記紫外線が前記気流に照射される請求項１記載のスタンド装置。
【請求項３】
前記一対の側面パネルおよび底面パネルは、前記基板の前記縦幅よりも大きい長さであって、前記紫外線ＬＥＤモジュールと前記気流生成部とが前記軸方向に沿って重なることなく並べられる長さを有する請求項１または２記載のスタンド装置。
【請求項４】
前記気流生成部は、形状記憶合金を用いて繊維状に加工された複数の繊維状金属部材と、
該複数の繊維状金属部材が並べられる大きさを有するフィルムまたは薄板状の部材であって、柔軟な絶縁材料を用いて形成されている変形部材と、
該複数の繊維状金属部材に電流が流される状態と電流が流されない状態とを切り替える制御手段とを有し、
前記気流生成部は、前記変形部材上に前記複数の繊維状金属部材が並べて固定された構造を有し、かつ前記変形部材が平坦な状態と湾曲状態とに変化する請求項１から３のいずれか一項記載のスタンド装置。
【請求項５】
前記筒状体は、外気が取り込まれる吸気部と、該吸気部から取り込まれた空気が排出される排気部とを有し、該排気部が該吸気部よりも前記台座部から離れた位置に配置され、紫外線を遮断または吸収し、かつ可視光線を透過する紫外線遮蔽部が前記筒状体のうちの前記発光部の手前側の前記吸気部と前記排気部との間に形成されている請求項１から４のいずれか一項記載のスタンド装置。
【請求項６】
台座部と、該台座部に固定される筒状支柱部とを有し、
該筒状支柱部は、筒状体と、該筒状体の内側に収容されている発光部と、該筒状体の内側に気流を生成する気流生成部とを有し、
前記発光部は、紫外線を発生する紫外線発生部を有し、
前記気流生成部は、形状記憶合金を用いて繊維状に加工された複数の繊維状金属部材と、
該複数の繊維状金属部材が並べられる大きさを有するフィルムまたは薄板状の部材であって、柔軟な絶縁材料を用いて形成されている変形部材と、
該複数の繊維状金属部材に電流が流される状態と電流が流されない状態とを切り替える制御手段とを有し、
前記気流生成部は、前記変形部材上に前記複数の繊維状金属部材が並べて固定された構造を有し、かつ前記変形部材が平坦な状態と湾曲状態とに変化するスタンド装置。
【請求項７】
スタンド装置と、ベルトを巻取るベルト巻取部または該ベルトが係止されるベルト係止部とを有し、該ベルト巻取部または該ベルト係止部が前記スタンド装置に固定されているベルトパーティションであって、
該スタンド装置は、台座部と、該台座部に固定される筒状支柱部とを有し、
該筒状支柱部は、筒状体と、該筒状体の内側に収容されている発光部と、該筒状体の内側に気流を生成する気流生成部とを有し、
前記発光部は、紫外線を発生する紫外線発生部を有し、
該紫外線発生部は、前記筒状体の内側に配置し得る横幅と該横幅よりも大きい縦幅とを有する縦長板状の基板と、前記紫外線を発生する複数の紫外線発光ダイオードとを有し、該複数の紫外線発光ダイオードが前記横幅に沿った方向に複数列並び、かつ前記縦幅に沿った方向に複数列並ぶようにして前記基板上に配置されている紫外線ＬＥＤモジュールを用いて形成され、
一対の側面パネルと、底面パネルとを有し、かつ該一対の側面パネルおよび底面パネルがそれぞれ前記基板の前記縦幅よりも大きい長さを有する板状部材であり、前記側面パネルそれぞれの間隔が前記基板の前記横幅に応じた大きさを有する縦長構造で断面概ねＵ字状に形成されているガイド部材を更に有し、
該ガイド部材は、前記一対の側面パネルおよび底面パネルが前記筒状体の軸方向に沿うようにして、かつ前記一対の側面パネルそれぞれの前記底面パネルから最も離れている端部および前記底面パネルと前記一対の側面パネルとがつながった部分の角部がともに前記筒状体の内側に密接して収容され、
前記紫外線発生部の前記基板および前記気流生成部が前記底面パネルに固定され、かつ前記一対の側面パネル、前記底面パネルおよび前記筒状体によって囲まれるようにして、前記筒状体の内側に収容されているベルトパーティション。
【請求項８】
前記ガイド部材の前記一対の側面パネル、前記底面パネルおよび前記筒状体によって囲まれ、かつ前記軸方向に沿った縦長領域を前記気流生成部によって生成される前記気流が通り、かつ該縦長領域を前記気流が通るときに前記複数の紫外線発光ダイオードが発生する前記紫外線が前記気流に照射される請求項７記載のベルトパーティション。
【請求項９】
前記一対の側面パネルおよび底面パネルは、前記基板の前記縦幅よりも大きい長さであって、前記紫外線ＬＥＤモジュールと前記気流生成部とが前記軸方向に沿って重なることなく並べられる長さを有する請求項７または８記載のベルトパーティション。
【請求項１０】
前記気流生成部は、形状記憶合金を用いて繊維状に加工された複数の繊維状金属部材と、
該複数の繊維状金属部材が並べられる大きさを有するフィルムまたは薄板状の部材であって、柔軟な絶縁材料を用いて形成されている変形部材と、
該複数の繊維状金属部材に電流が流される状態と電流が流されない状態とを切り替える制御手段とを有し、
前記気流生成部は、前記変形部材上に前記複数の繊維状金属部材が並べて固定された構造を有し、かつ前記変形部材が平坦な状態と湾曲状態とに変化する請求項７から９のいずれか一項記載のベルトパーティション。
【発明の詳細な説明】
【技術分野】
【０００１】
本発明は、空間が区画されるときに用いられるパーティションスタンドや、床置型の照明器具として使用されるスタンド装置、ベルト巻取部またはベルト係止部を有するベルトパーティションに関する。
【背景技術】
【０００２】
従来、ロープやベルトなどを用いて空間を区画する部材、装置としてパーティションスタンドが知られている。パーティションスタンドは、支柱（ポール）と、空間を区画するロープ等の部材とが別部材になっている場合（例えば、特許文献１参照）や、支柱（ポール）と、空間を区画するベルト等の部材とが一体化されている場合が知られている（例えば、特許文献２、特許文献３参照）。
【０００３】
特許文献１には、支柱の上端部にかけ止めフックが形成され、ロープ端部のリングがそのかけ止めフックに引っかけられたり、はずされたりする構造のパーティションスタンドが開示されている。また、特許文献２には、床置きされるベース、ポール、ベルトが巻き取られているケースを有し、ケースがポールの上部に固定され、そのケースからベルトが引き出されまたはベルトがケースに巻き取られる構造（若しくはベルト係止部を有する構造）のパーティションスタンド（パーティションスタンドのうち、ベルトが空間を区画する部材として用いられるタイプをベルトパーティションともいう）が開示されている。特許文献３には、ポールが表示手段を有し、その表示手段において表示内容の変更が可能であるパーティションスタンドが開示されている。
【先行技術文献】
【特許文献】
【０００４】
【特許文献１】特開２０１３−１８９７４６号公報
【特許文献２】特許第５９２３６５１号公報
【特許文献３】特開２０１８−１６５８６４号公報
【発明の概要】
【発明が解決しようとする課題】
【０００５】
前述したパーティションスタンドは、空間を区画する部材、装置として使用される。パーティションスタンドは、例えば、空港、コンサート会場、ホテル、球場、商業施設、テーマパーク、ターミナル駅、チケット売場といった大勢の人が集まる場所に配置され、その集まった大勢の人が整列されるときに使用される。
【０００６】
パーティションスタンドが用いられる場所は、屋外である場合もあるが、屋内であることも多い。すると、パーティションスタンドが用いられる場合、屋内において、パーティションスタンドの周囲に大勢の人が集まっていて、十分な換気がなされていない場合が考えられる。それゆえ、パーティションスタンドの周囲に集まっている人たちの中でなんらかの感染症が広がるおそれがある。
【０００７】
しかし、従来のパーティションスタンドでは、感染症の広がりを抑制することが考慮されていなかった。
【０００８】
また、パーティションスタンドは、屋外でも使用される。すると、大勢の人が暗くなった時間帯にパーティションスタンドの周囲に集まっている場合が考えられる。そのため、パーティションスタンドによって、集まっている人たちの周囲に明かりが確保できることが望ましい。
【０００９】
このように、パーティションスタンドは、主に屋内での使用に備えて感染症の広がりを抑制すること、屋外での使用に備えて照明器具として使用できるようにすることが望ましい。しかし、従来、双方が実現されているパーティションスタンドがなかった。
【００１０】
本発明は、上記課題を解決するためになされたもので、感染症の広がりを抑制することが可能であり、照明器具として使用することも可能なスタンド装置およびベルトパーティションを提供することを目的とする。
【課題を解決するための手段】
【００１１】
上記課題を解決するため、本発明は、台座部と、その台座部に固定される筒状支柱部とを有し、その筒状支柱部は、筒状体と、その筒状体の内側に収容されている発光部と、その筒状体の内側に気流を生成する気流生成部とを有し、発光部は、紫外線を発生する紫外線発生部を有し、その紫外線発生部は、筒状体の内側に配置し得る横幅とその横幅よりも大きい縦幅とを有する縦長板状の基板と、紫外線を発生する複数の紫外線発光ダイオードとを有し、その複数の紫外線発光ダイオードが横幅に沿った方向に複数列並び、かつ縦幅に沿った方向に複数列並ぶようにして基板上に配置されている紫外線ＬＥＤモジュールを用いて形成され、一対の側面パネルと、底面パネルとを有し、かつその一対の側面パネルおよび底面パネルがそれぞれ基板の縦幅よりも大きい長さを有する板状部材であり、側面パネルそれぞれの間隔が基板の横幅に応じた大きさを有する縦長構造で断面概ねＵ字状に形成されているガイド部材を更に有し、そのガイド部材は、一対の側面パネルおよび底面パネルが筒状体の軸方向に沿うようにして、かつ一対の側面パネルそれぞれの底面パネルから最も離れている端部および底面パネルと一対の側面パネルとがつながった部分の角部がともに筒状体の内側に密接して収容され、紫外線発生部の基板および気流生成部が底面パネルに固定され、かつ一対の側面パネル、底面パネルおよび筒状体によって囲まれるようにして、筒状体の内側に収容されているスタンド装置を提供する。
【００１２】
上記スタンド装置の場合、ガイド部材の一対の側面パネル、底面パネルおよび筒状体によって囲まれ、かつ軸方向に沿った縦長領域を気流生成部によって生成される気流が通り、かつその縦長領域を気流が通るときに複数の紫外線発光ダイオードが発生する紫外線が気流に照射されることが好ましい。
【００１３】
また、一対の側面パネルおよび底面パネルは、基板の縦幅よりも大きい長さであって、紫外線ＬＥＤモジュールと気流生成部とが軸方向に沿って重なることなく並べられる長さを有することが好ましい。
【００１４】
さらに、気流生成部は、形状記憶合金を用いて繊維状に加工された複数の繊維状金属部材と、その複数の繊維状金属部材が並べられる大きさを有するフィルムまたは薄板状の部材であって、柔軟な絶縁材料を用いて形成されている変形部材と、その複数の繊維状金属部材に電流が流される状態と電流が流されない状態とを切り替える制御手段とを有し、気流生成部は、変形部材上に複数の繊維状金属部材が並べて固定された構造を有し、かつ変形部材が平坦な状態と湾曲状態とに変化するようにすることができる。
【００１５】
また、筒状体は、外気が取り込まれる吸気部と、その吸気部から取り込まれた空気が排出される排気部とを有し、その排気部がその吸気部よりも台座部から離れた位置に配置され、紫外線を遮断または吸収し、かつ可視光線を透過する紫外線遮蔽部が筒状体のうちの発光部の手前側の吸気部と排気部との間に形成されているようにすることもできる。
【００１６】
また、本発明は、台座部と、その台座部に固定される筒状支柱部とを有し、その筒状支柱部は、筒状体と、その筒状体の内側に収容されている発光部と、その筒状体の内側に気流を生成する気流生成部とを有し、発光部は、紫外線を発生する紫外線発生部を有し、気流生成部は、形状記憶合金を用いて繊維状に加工された複数の繊維状金属部材と、その複数の繊維状金属部材が並べられる大きさを有するフィルムまたは薄板状の部材であって、柔軟な絶縁材料を用いて形成されている変形部材と、その複数の繊維状金属部材に電流が流される状態と電流が流されない状態とを切り替える制御手段とを有し、気流生成部は、変形部材上に複数の繊維状金属部材が並べて固定された構造を有し、かつ変形部材が平坦な状態と湾曲状態とに変化するスタンド装置を提供する。
【００１７】
そして、本発明はスタンド装置と、ベルトを巻取るベルト巻取部またはそのベルトが係止されるベルト係止部とを有し、そのベルト巻取部またはそのベルト係止部がスタンド装置に固定されているベルトパーティションであって、そのスタンド装置は、台座部と、その台座部に固定される筒状支柱部とを有し、その筒状支柱部は、筒状体と、その筒状体の内側に収容されている発光部と、その筒状体の内側に気流を生成する気流生成部とを有し、発光部は、紫外線を発生する紫外線発生部を有し、その紫外線発生部は、筒状体の内側に配置し得る横幅とその横幅よりも大きい縦幅とを有する縦長板状の基板と、紫外線を発生する複数の紫外線発光ダイオードとを有し、その複数の紫外線発光ダイオードが横幅に沿った方向に複数列並び、かつ縦幅に沿った方向に複数列並ぶようにして基板上に配置されている紫外線ＬＥＤモジュールを用いて形成され、一対の側面パネルと、底面パネルとを有し、かつその一対の側面パネルおよび底面パネルがそれぞれ基板の縦幅よりも大きい長さを有する板状部材であり、側面パネルそれぞれの間隔が基板の横幅に応じた大きさを有する縦長構造で断面概ねＵ字状に形成されているガイド部材を更に有し、そのガイド部材は、一対の側面パネルおよび底面パネルが筒状体の軸方向に沿うようにして、かつ一対の側面パネルそれぞれの底面パネルから最も離れている端部および底面パネルと一対の側面パネルとがつながった部分の角部がともに筒状体の内側に密接して収容され、紫外線発生部の基板および気流生成部が底面パネルに固定され、かつ一対の側面パネル、底面パネルおよび筒状体によって囲まれるようにして、筒状体の内側に収容されているベルトパーティションを提供する。
【００１８】
また、上記ベルトパーティションの場合、ガイド部材の一対の側面パネル、底面パネルおよび筒状体によって囲まれ、かつ軸方向に沿った縦長領域を気流生成部によって生成される気流が通り、かつその縦長領域を気流が通るときに複数の紫外線発光ダイオードが発生する紫外線が気流に照射されることが好ましい。
【００１９】
さらに、一対の側面パネルおよび底面パネルは、基板の縦幅よりも大きい長さであって、紫外線ＬＥＤモジュールと気流生成部とが軸方向に沿って重なることなく並べられる長さを有することが好ましい。
【００２０】
さらに、気流生成部は、形状記憶合金を用いて繊維状に加工された複数の繊維状金属部材と、その複数の繊維状金属部材が並べられる大きさを有するフィルムまたは薄板状の部材であって、柔軟な絶縁材料を用いて形成されている変形部材と、その複数の繊維状金属部材に電流が流される状態と電流が流されない状態とを切り替える制御手段とを有し、気流生成部は、変形部材上に複数の繊維状金属部材が並べて固定された構造を有し、かつ変形部材が平坦な状態と湾曲状態とに変化するようにすることができる。
【発明の効果】
【００２１】
以上詳述したように、本発明によれば、感染症の広がりを抑制することが可能であり、照明器具として使用することも可能なスタンド装置およびベルトパーティションが得られる。
【図面の簡単な説明】
【００２２】
【図１】本発明の実施の形態に係るベルトパーティションおよびスタンド装置の概略構成を示した側面図である。
【図２】本発明の実施の形態に係る別のベルトパーティションの概略構成を示した斜視図である。
【図３】図１のベルトパーティションを構成するスタンド装置の筒状支柱部を上側からみた平面図である。
【図４】ガイド部材と、ガイド部材に固定されている発光部、気流生成部を示す斜視図である。
【図５】筒状支柱部の要部を示す一部省略した正面図である。
【図６】紫外線ＬＥＤモジュールの平面図である。
【図７】気流生成部の一例を示す斜視図である。
【図８】筒状支柱部、吸気部および気流生成部の一例を示す一部省略した斜視図である。
【図９】ベルトパーティションの回路構成を模式的に示すブロック図である。
【図１０】図１のベルトパーティション、図２のベルトパーティションを含むパーティションユニットを示す斜視図である。
【図１１】変形例に係る気流生成部と、バッテリーおよび制御ユニットの回路構成を示すブロック図である。
【図１２】変形例に係る気流生成部の動作内容を示す斜視図である。
【図１３】変形例に係るベルトパーティション、スタンド装置の概略構成を示した斜視図である。
【図１４】変形例に係るスタンド装置の概略構成を示した斜視図である。
【図１５】別の変形例に係るスタンド装置の概略構成を示した斜視図である。
【発明を実施するための形態】
【００２３】
以下、本発明の実施の形態について図面を参照しつつ説明する。なお、同一要素には同一符号を用い、重複する説明は省略する。
【００２４】
本発明の実施の形態に係るベルトパーティション１００について、図１〜図９を参照して説明する。図１は、本発明の実施の形態に係るベルトパーティション１００およびスタンド装置１の概略構成を示した側面図である。図２は、本発明の実施の形態に係るベルトパーティション１１０の概略構成を示した斜視図である。図３は、ベルトパーティション１００を構成するスタンド装置１の筒状支柱部３を上側からみた平面図、図４はガイド部材３０と、ガイド部材３０に固定されている発光部１０、気流生成部２０を示す斜視図である。図５は筒状支柱部３の要部を示す一部省略した正面図である。図６は紫外線ＬＥＤモジュール１０Ａの平面図、図７は気流生成部２０の斜視図である。図８は筒状支柱部３、吸気部５および気流生成部２０を示す一部省略した斜視図である。図９はベルトパーティション１００の回路構成を模式的に示すブロック図である。
【００２５】
（ベルトパーティション１００，１１０の構成）
本発明の実施の形態に係るベルトパーティション１００は、図１に示すように、スタンド装置１と、ベルト巻取部７０とを有している。ベルトパーティション１００は、ベルト巻取部７０がスタンド装置１に固定された構造を有している。また、本発明の実施の形態に係るベルトパーティション１１０は、図２に示すように、スタンド装置１と、ベルト係止部９０とを有している。ベルトパーティション１１０は、ベルト係止部９０がスタンド装置１に固定された構造を有している。
【００２６】
ベルトパーティション１００では、ベルト巻取部７０がスタンド装置１に固定されているが、ベルト巻取部７０がスタンド装置１に対して、着脱可能であってもよい（図示せず）。また、ベルトパーティション１１０では、ベルト係止部９０がスタンド装置１に固定されているが、ベルト係止部９０がスタンド装置１に対して、着脱可能であってもよい（図示せず）。
【００２７】
（スタンド装置１の構成）
スタンド装置１は、台座部２と、台座部２に固定されている筒状支柱部３とを有している。
【００２８】
台座部２は、図２に示すように、概ね円板状の板状部２ａと、板状部２ａの表側の平面視中央に固定されている受筒部２ｂと、電源装置２ｃ、電源コード２ｄおよび電源プラグ２ｅとを有している。
【００２９】
受筒部２ｂは円柱状部材であって、筒状支柱部３が収まる大きさを有している。電源装置２ｃは、商用電源から、後述する紫外線ＬＥＤモジュール１０Ａで用いられる直流を生成する電源回路、定電流回路などを有している。電源装置２ｃは、受筒部２ｂの内側に収容されている。電源コード２ｄは電源装置２ｃに接続され、かつ受筒部２ｂの外側に導出されている。電源プラグ２ｅは電源コード２ｄに接続され、図示しない商用電源のコンセントに抜き差しして使用される。
【００３０】
筒状支柱部３は、図１に示すように、筒状体４と、その筒状体４の内側に収容されている発光部１０と、筒状体４の内側に気流を生成する気流生成部２０と、バッテリー８とを有している。筒状体４の下側端部が受筒部２ｂに固定され、上側端部がベルト巻取部７０に固定されている。
【００３１】
筒状体４は、樹脂や金属からなる円筒状の部材である。スタンド装置１が照明装置として使用される場合を考慮して、筒状体４は、透過性を有するアクリルや、耐衝撃性を有するポリカーボネート等の樹脂材を用いて形成されることが好ましい。
【００３２】
筒状体４は、吸気部５と、排気部６と、紫外線遮蔽部７とを有している。吸気部５は、外気を取り込めるように、網目状に形成されていて、内側にフィルタ５ｂ（図８参照）が装着されている。排気部６は、吸気部５から取り込まれた空気が排出される部分であって、吸気部５と同様の網目状に形成されている。排気部６は、吸気部５よりも台座部２から離れた位置に配置されている。
【００３３】
紫外線遮蔽部７は、筒状体４のうちの発光部１０の手前側に対応した側面部分に形成されている。筒状体４の発光部１０の手前側に対応した側面部分に、樹脂製の紫外線カットフィルムや紫外線フィルタが張り付けられて紫外線遮蔽部７とすることができる。例えば、紫外線透過・可視光線透過性のフッ素樹脂を用いて所定膜厚（例えば４ｍｍ以上）のフィルムが形成された場合、そのフィルムの紫外線透過性が大幅に抑制される。また、膜厚がより大きい場合（例えば５ｍｍ以上）は紫外線がそのフィルムによってほぼ吸収される。よって、紫外線透過・可視光線透過のフッ素樹脂を用いて所定膜厚（例えば４ｍｍ以上）のフィルムが形成された場合、そのフィルムによって紫外線が遮断または吸収される。そのため、そのフィルムが筒状体４に貼り付け等により固着されることによって、紫外線遮蔽部７が形成される。
【００３４】
発光部１０は、紫外線を発生する紫外線発生部を有している。本実施の形態では、紫外線発生部が紫外線ＬＥＤモジュール（以下「ＵＶ−ＬＥＤモジュール」ともいう）１０Ａを用いて形成されている。発光部１０は、ＵＶ−ＬＥＤモジュール１０Ａと、ＵＶ−ＬＥＤモジュール１０Ａを電源装置２ｃにつなぐ配線コード等とを有している。
【００３５】
ＵＶ−ＬＥＤモジュール１０Ａは、図６に示すように、矩形状の基板１１と、紫外線ＬＥＤチップ１２とを有し、複数の紫外線ＬＥＤチップ１２がその基板１１上に配置されている。基板１１には、紫外線ＬＥＤチップ１２とともに、入力端子部１３、出力端子部１４が配置されている。各紫外線ＬＥＤチップ１２は紫外線を発生する紫外線発光ダイオード（ＵＶ−ＬＥＤ）１５を有している。
【００３６】
そして、ＵＶ−ＬＥＤモジュール１０Ａは、図５にも示すように、筒状体４の内側に、筒状体４の軸方向に沿って重ならないように、２枚並べて配置されている。各ＵＶ−ＬＥＤモジュール１０Ａの入力端子部１３および出力端子部１４が配線コードを用いて電源装置２ｃに接続されている。
【００３７】
気流生成部２０は筒状体４の内側に気流を生成する部材である。本実施の形態に係るベルトパーティション１００，１１０、スタンド装置１は、図４、図７、図８に示すように、気流生成部２０として、シロッコファンユニット２０Ａを有している。
【００３８】
シロッコファンユニット２０Ａは、シロッコファン２１と、シロッコファン２１が回転自在に収められているケース２２とを有している。ケース２２が吸気孔２２ａと、排気孔２２ｂとを有している。シロッコファン２１が図７の矢印方向に回転すると、吸気２１ａが吸気孔２２ａから吸引され、排気２１ｂが排気孔２２ｂから排出される。
【００３９】
そして、シロッコファンユニット２０Ａは、筒状体４の内側において、吸気部５の背面側（または吸気部５の上側）に配置されている。
【００４０】
バッテリー８は、筒状体４の内側の、吸気部５の背面側に収容されている。バッテリー８は、商用電源によって充電される蓄電池であって、例えば、リチウムイオンバッテリが用いられる。バッテリー８は、図９に示すように、電源装置２ｃを介してＵＶ−ＬＥＤモジュール１０Ａと、シロッコファンユニット２０Ａに接続されている。
【００４１】
そして、さらに、スタンド装置１は、ガイド部材３０を有している。ガイド部材３０は図４に示すように、筒状体４の内側に密接して収容される断面概ねＵ字状の部材である。
【００４２】
ガイド部材３０は、一対の側面パネル３０ａ、３０ｂと、底面パネル３０ｃとを有し、それらによって、筒状体４の軸方向に沿った気流（軸方向気流）ａｆを形成することができる。軸方向気流ａｆは、シロッコファンユニット２０Ａの動作によって形成される。
【００４３】
また、ガイド部材３０の底面パネル３０ｃに、２枚のＵＶ−ＬＥＤモジュール１０Ａと、シロッコファンユニット２０Ａとが筒状体４の軸方向に沿って固定されている。ガイド部材３０と、２枚のＵＶ−ＬＥＤモジュール１０Ａおよびシロッコファンユニット２０Ａとが一体となって筒状体４の内側に密接して収容されている。底面パネル３０ｃの幅（側面パネル３０ａ、３０ｂの間隔）がＵＶ−ＬＥＤモジュール１０Ａの幅に応じた大きさに形成されている。
【００４４】
（ベルト巻取部７０、ベルト係止部９０の構成）
ベルト巻取部７０は、図１に示すように、筒状ケース７１と、カバー７２と、ベルト巻取ピン７３、７３と、ベルト７４，７４と、巻取付勢部材７５と、ガイドピン７６、７６とを有している。
【００４５】
筒状ケース７１は、筒状体４に応じた概ね円筒状に形成された部材であって、筒状体４の上端部に固定されている。カバー７２は筒状ケース７１の上端部に固定されている。ベルト巻取ピン７３、７３は、筒状ケース７１の内側に回転可能に支持された状態で収容されていて、それぞれベルト７４，７４の一端部が固定されている。巻取付勢部材７５は、図示しないばね部材などを有し、ベルト７４，７４の引き出し長さに応じて付勢され、ベルト７４，７４を引き込むように作動する。ガイドピン７６、７６は、筒状ケース７１の側面部分に固定されていて、ベルト７４，７４の引き出し、巻き取りを案内する部材である。
【００４６】
図２に示すように、ベルト係止部９０は、ベルト巻取部７０と同様の筒状ケース７１、カバー７２を有し、さらにベルト受溝７７，７７，７７，７７を有している。ベルト受溝７７は、ベルト７４の先端部に形成されている図示しない掛け止部材に応じた溝状の部材である。ベルト受溝７７，７７，７７，７７がそれぞれ筒状ケース７１の側面の十字状に並ぶ位置（カバー７２を平面視したときにそれぞれが十文字状に並ぶ位置）に固定されている。
【００４７】
（ベルトパーティション１００、１１０の使用方法、作用効果）
以上の構成を有するベルトパーティション１００、１１０は例えば次のようにして使用する。
【００４８】
図１０に示すように、ベルトパーティション１００、１１０が１つずつ適度な間隔をおいて並べられる。そして、ベルトパーティション１００からベルト７４が引き出され、そのベルト７４の図示しない掛け止部材がベルトパーティション１１０のベルト受溝７７に嵌め合わされる。こうすることで、ベルト７４がベルトパーティション１００と、ベルトパーティション１１０との間にかけ渡されて、ベルトパーティション１００、１１０を含むパーティションユニット１３０が形成される。パーティションユニット１３０によって、空間が区画される。また、パーティションユニット１３０を複数並べることによって、大勢の人が整列される。
【００４９】
そして、ベルトパーティション１００、１１０の一方または両方の電源プラグ２ｅが図示しない商用電源のコンセントに差し込まれると、バッテリー８が商用電源を用いて充電される。また、ベルトパーティション１００、１１０の図示しない電源スイッチの投入によって、電源装置２ｃから発光部１０のＵＶ−ＬＥＤモジュール１０Ａと、シロッコファンユニット２０Ａとに電力が供給される。すると、各ＵＶ−ＬＥＤモジュール１０Ａにおいて、ＵＶ−ＬＥＤ１５が点灯する。すると、ＵＶ−ＬＥＤ１５の発光が得られ、紫外線が発生する。電源プラグ２ｅが図示しない商用電源のコンセントから外された場合は、バッテリー８に充電されている電力がＵＶ−ＬＥＤモジュール１０Ａと、シロッコファンユニット２０Ａとに供給される。
【００５０】
一方、シロッコファンユニット２０Ａに電力が供給されることによって、シロッコファン２１が作動する。すると、図８に示すように、外気ｆが吸気部５から取り込まれる。外気ｆはフィルタ５ｂで塵や埃などの浮遊物が除去された後、吸気２１ａとなって、シロッコファンユニット２０Ａの吸気孔２２ａに吸引される。すると、送風２１ｂが排気孔２２ｂから排出される。
【００５１】
また、図４に示すように、その送風２１ｂによって軸方向気流ａｆが形成され、その軸方向気流ａｆがガイド部材３０に案内されながら排気部６に向かって送り出される。ガイド部材３０には２枚のＵＶ−ＬＥＤモジュール１０Ａが固定されているので、軸方向気流ａｆが排気部６に届く前に２つのＵＶ−ＬＥＤモジュール１０Ａを通過する。その際、ＵＶ−ＬＥＤ１５が発生している紫外線が軸方向気流ａｆに照射される。これによって、軸方向気流ａｆに含まれている細菌やウイルス等がＵＶ−ＬＥＤ１５が発生している紫外線によって、殺菌、滅菌、除菌等される。そのため、清浄な軸方向気流ａｆが排気部６から排出される。軸方向気流ａｆはガイド部材３０によって区画されている溝状のルートを通り、そのルート上にＵＶ−ＬＥＤモジュール１０Ａが配置されているので、軸方向気流ａｆが紫外線の照射を確実に受ける。
【００５２】
筒状体４が円筒状に形成されているので、その内側にＵＶ−ＬＥＤモジュール１０Ａが固定される場合、筒状体４とＵＶ−ＬＥＤモジュール１０Ａとの間に、筒状体４とＵＶ−ＬＥＤモジュール１０Ａの形状の相違に起因して、図３に示す網目部分のような隙間が形成される。すると、その隙間がＵＶ−ＬＥＤモジュール１０Ａの背面側にあるため、その隙間を通る空気には、紫外線が照射されない。このような紫外線が照射されない空気が生成されないようにするには、筒状体４の内側にガイド部材３０が配置されることが好ましい。後述するベルトパーティション１００Ａ、スタンド装置１Ａのように、筒状体４Ａが平面視矩形状に形成されているときは、図３に示す網目部分のような隙間が形成されないようにできる。この場合は、ガイド部材３０が筒状体４Ａの内側に配置されなくてもよい。
【００５３】
また、ＵＶ−ＬＥＤ１５が発光することによって、ベルトパーティション１００、１１０の周囲に光（ＬＥＤ光）が放出される。そのＬＥＤ光によって、ベルトパーティション１００、１１０の周囲が明るくなる。
【００５４】
ところで、ベルトパーティション１００、１１０は空間を区画する部材として用いられるから、大勢の人が集まった場所に配置されて、大勢の人が整列されるときに用いられる。すると、特にベルトパーティション１００、１１０が屋内に配置されているときは、換気が少なく、それ故、ベルトパーティション１００、１１０の周囲に集まっている人たちのなかで何らかの感染症が広がるおそれがある。
【００５５】
しかし、前述したように、ベルトパーティション１００、１１０では、紫外線の照射によって、空気の殺菌、滅菌、除菌等が行われる。そのため、ベルトパーティション１００、１１０の周囲が、殺菌、滅菌、除菌等された清浄な空気に包み込まれる。したがって、ベルトパーティション１００、１１０が用いられることによって、その周囲に集まった人たちの中で感染症が広がるおそれが抑制される。
【００５６】
その一方、ベルトパーティション１００、１１０が紫外線を発生するため、その紫外線によって、ベルトパーティション１００、１１０の周囲に集まった人たちが目を傷めるおそれがある。
【００５７】
しかし、ベルトパーティション１００、１１０では、ＵＶ−ＬＥＤモジュール１０Ａの手前側に紫外線遮蔽部７が配置されている。そのため、ＵＶ−ＬＥＤモジュール１０Ａが発生した紫外線がその紫外線遮蔽部７によって遮断または吸収される。そのため、紫外線がＵＶ−ＬＥＤモジュール１０Ａから発生して、軸方向気流ａｆの殺菌、除菌などを行ったあと、紫外線遮蔽部７よりも外側には照射されない。したがって、集まった人たちが目を傷めるおそれがない。
【００５８】
そのうえ、筒状体４がアクリルやポリカーボネートを用いて形成されているので、筒状体４が間接照明のパネルとして機能する。そのため、ＵＶ−ＬＥＤモジュール１０Ａの出すＬＥＤ光が間接照明の明かりとなってベルトパーティション１００、１１０の周囲に広がる。したがって、ベルトパーティション１００、１１０が柔らかな明かりを出す照明器具として使用される。ベルトパーティション１００、１１０はスタンド装置１を有しており、そのスタンド装置１でも、ベルトパーティション１００、１１０と同様に感染症が広がるおそれが抑制され、照明器具として使用される。
【００５９】
ベルトパーティション１００、１１０では、排気部６が吸気部５よりも台座部２から離れた位置に配置されている。そのため、ＵＶ−ＬＥＤモジュール１０Ａの出すＬＥＤ光の照射によって、軸方向気流ａｆの温度が上がっても、軸方向気流ａｆが排気部６に向かって移動して排気部６から排出される。
【００６０】
（変形例１）
次に、図１１、図１２を参照して、変形例にかかる気流生成部１２０について説明する。図１１は、気流生成部１２０と、バッテリー８、制御ユニット８ｂの回路構成を示すブロック図である。図１２は、気流生成部１２０の動作内容を示す斜視図である。
【００６１】
気流生成部１２０は、繊維状金属部材１２１と、変形部材１２２と、配線コード１２３を有している。繊維状金属部材１２１は、Ｔｉ−Ｎｉ系の形状記憶合金を用いて繊維状に加工された部材である。繊維状金属部材１２１は、ある決められた方向に特性が引き出されるように異方性組織化されて形成されている。それにより、繊維状金属部材１２１は、電流が流れていない状態と、電流が流された状態とで形状を切り替えることができる。電流が流されていない状態では、ナイロン繊維のように柔軟であり、湾曲した状態になる。これに対し、電流が流された状態では、硬くなって収縮するため、全体が張り詰めたまっすぐな状態になる。
【００６２】
気流生成部１２０は、その繊維状金属部材１２１が複数、変形部材１２２上に並べて固定されている。変形部材１２２は、繊維状金属部材１２１の長さよりも長い長さと、複数の繊維状金属部材１２１が並べられる大きさを有するフィルムまたは薄板状の部材であって、柔軟な絶縁材料（例えば、プラスチックなど）を用いて形成されている。
【００６３】
そして、気流生成部１２０は、各繊維状金属部材１２１がバッテリー８と、制御ユニット８ｂに接続された構成を有している。制御ユニット８ｂはバッテリー８からの電力供給の有無（バッテリー８による電流が流された状態、流れていない状態）を切り替える回路を有している。
【００６４】
制御ユニット８ｂによってバッテリー８による電流が流された状態、流れていない状態とが切り替えられるので、気流生成部１２０は、図１２に示すように、変形部材１２２の形状が、平坦な状態と湾曲状態とで変わる。そのため、この形状の変化を何度も繰り返すことにより、変形部材１２２の上側の空気を動かすことができ、その結果、弱いながら気流が形成される。そのため、気流生成部２０の代わりに気流生成部１２０を有するベルトパーティション、スタンド装置（図示せず）も、ベルトパーティション１００、１１０、スタンド装置１と同様の作用効果を奏する。
【００６５】
（変形例２）
次に、図１３を参照して、変形例にかかるベルトパーティション１００Ａ、スタンド装置１Ａについて説明する。図１３は、ベルトパーティション１００Ａ、スタンド装置１Ａの概略構成を示した斜視図である。
【００６６】
ベルトパーティション１００Ａは、スタンド装置１Ａと、ベルト巻取部７０Ａとを有している。ベルトパーティション１００Ａは、ベルト巻取部７０Ａがスタンド装置１Ａに固定された構造を有している。
【００６７】
スタンド装置１Ａは、台座部２Ａと、台座部２Ａに固定される筒状支柱部３Ａとを有している。台座部２Ａは、平面視矩形状の部材であり、表面２Ｂに筒状支柱部３Ａが固定されている。
【００６８】
筒状支柱部３Ａは、筒状体４Ａと、その筒状体４Ａの内側に収容されている発光部１０、気流生成部２０、電源装置２ｃ、バッテリー８および太陽光パネル２５を有している。筒状体４Ａは、筒状体４と同様のアクリル、ポリカーボネート等の樹脂材を用いて形成されている。筒状体４は、平面視矩形状に形成されている。
【００６９】
また、筒状体４Ａは、正面側の側面に筒状体４と同様の、吸気部５、排気部６および紫外線遮蔽部７を有している。また、筒状体４Ａの別の側面に太陽光パネル２５が固着されている。さらに、筒状体４Ａの下側にバッテリー８と電源装置２ｃが収容されている。電源装置２ｃには、電源プラグ２ｅ付の電源コード２ｄが接続されている。
【００７０】
ベルト巻取部７０Ａは、筒状ケース７１Ａと、カバー７２Ａとを有している。また、ベルト巻取部７０Ａは、ベルト巻取部７０と同様のベルト巻取ピン７３、７３と、ベルト７４，７４と、巻取付勢部材７５と、ガイドピン７６、７６とを有している。
【００７１】
筒状ケース７１Ａは、筒状体４Ａに応じた平面視矩形状に形成されている。カバー７２Ａは筒状ケース７１Ａの上端部に固定されている。
【００７２】
以上のような構成を有するベルトパーティション１００Ａ、スタンド装置１Ａは、ベルトパーティション１００、スタンド装置１と同様、発光部１０と、気流生成部２０とを有しているので、周囲の空気を殺菌、滅菌、除菌等された清浄な空気にすることができる。また、ベルトパーティション１００Ａ、スタンド装置１Ａは、ベルトパーティション１００、スタンド装置１と同様、照明装置として使用することもできる。ベルトパーティション１００Ａ、スタンド装置１Ａは太陽光パネル２５を有しているので、その太陽光パネル２５を用いて発電し、バッテリー８に充電することができる。
【００７３】
（変形例３）
次に、図１４を参照して、変形例にかかるスタンド装置４１について説明する。図１４は、スタンド装置４１の概略構成を示した斜視図である。
【００７４】
スタンド装置４１は、スタンド装置１と比較して、上端部にベルト巻取部７０の代わりに球状突起７９が固着されている点、台座部２の代わりに台座部２Ｄを有する点、筒状支柱部３の筒状体４にかけ止めフック８０，８０が固着されている点で相違している。また、電源装置２ｃが筒状体４の内側に収容されている。
【００７５】
スタンド装置４１は、ベルト巻取部７０を有していない。スタンド装置４１は、かけ止めフック８０，８０を有する。そのため、図１４に示すように、仕切りロープ８４のリング部材８４ａをかけ止めフック８０に引っかけて、空間を仕切る部材、装置として使用する。台座部２Ｄは、円形板状に形成されている。
【００７６】
スタンド装置４１は、スタンド装置１と同様の筒状支柱部３を有しているので、周囲の空気を殺菌、除菌等することができる。そのため、周囲に集まる人の間で感染症が広がることを抑制することができる。また、筒状支柱部３の発光部１０が発光し、周囲に光が放出されるので、照明器具として使用することもできる。
【００７７】
（変形例４）
続いて、図１５を参照して、変形例にかかるスタンド装置５１について説明する。図１５は、スタンド装置５１の概略構成を示した斜視図である。
【００７８】
スタンド装置５１は、筒状支柱部４３と、台座部２Ｂとを有している。筒状支柱部４３は、筒状支柱部３と比較して、筒状体４の代わりに筒状体４２を有する点で異なる。筒状体４２は、平面視矩形状に形成されているが、筒状体４と同様に、吸気部５、排気部６および紫外線遮蔽部７を有している。また、発光部１０、１０と、気流生成部２０と、バッテリー８、電源装置２ｃが筒状体４２の内側に収容されている。
【００７９】
スタンド装置５１は、筒状支柱部４３を有し、その中にスタンド装置１と同様の発光部１０、１０と、気流生成部２０とを有しているので、周囲の空気を殺菌、除菌等することができる。そのため、周囲に集まる人の間で感染症が広がることを抑制することができる。また、筒状支柱部４３の発光部１０が発光し、周囲にＬＥＤ光が放出されるので、スタンド装置５１は、照明器具として使用することができる。紫外線によって、集まった人たちが目を傷めるおそれもない。
【００８０】
以上の実施形態では、気流生成部２０として、シロッコファンユニット２０Ａを例にとって説明しているが、プロペラファンを用いてもよい。また、ファンを用いないタイプとして、繊維状金属部材１２１を複数有する気流生成部１２０を例にとって説明している。図１１の場合よりも繊維状金属部材１２１の太さを太くし、かつ配線密度を増やすことによって、より大きな気流が形成される。また、明るさを確保するため、ＵＶ−ＬＥＤモジュール１０ＡがＵＶ−ＬＥＤ１５に加えて可視光を発生するＬＥＤを有していてもよい。
【産業上の利用可能性】
【００８１】
本発明を適用することにより、感染症の広がりを抑制することが可能であり、照明器具として使用することも可能なスタンド装置およびベルトパーティションが得られる。本発明は、スタンド装置およびベルトパーティションの分野で利用することができる。
【符号の説明】
【００８２】
１，１Ａ，４１，５１…スタンド装置、２，２Ａ，２Ｂ，２Ｄ…台座部、３，４３，３Ａ…筒状支柱部、４，４Ａ，４２…筒状体，５…吸気部、６…排気部、７…紫外線遮蔽部、８…バッテリー、１０…発光部、１２…紫外線ＬＥＤチップ、１５…ＵＶ−ＬＥＤ、１０Ａ…ＵＶ−ＬＥＤモジュール、２０，１２０…気流生成部、３０…ガイド部材、７０，７０Ａ…ベルト巻取部、９０…ベルト係止部、１００，１１０，１００Ａ…ベルトパーティション。
【要約】      （修正有）【課題】感染症の広がりを抑制することが可能であり、照明器具として使用することも可能なスタンド装置およびベルトパーティションを提供する。【解決手段】スタンド装置は、台座部２と、台座部２に固定される筒状支柱部３とを有している。筒状支柱部３は、筒状体４と、筒状体４の内側に収容されている発光部１０と、筒状体４の内側に気流を生成する気流生成部とを有している。発光部１０は、紫外線ＬＥＤモジュールを用いて形成されている紫外線発生部を有している。【選択図】図１【図１】
0006931246.tif 000002
【図２】
0006931246.tif 000003
【図３】
0006931246.tif 000004
【図４】
0006931246.tif 000005
【図５】
0006931246.tif 000006
【図６】
0006931246.tif 000007
【図７】
0006931246.tif 000008
【図８】
0006931246.tif 000009
【図９】
0006931246.tif 000010
【図１０】
0006931246.tif 000011
【図１１】
0006931246.tif 000012
【図１２】
0006931246.tif 000013
【図１３】
0006931246.tif 000014
【図１４】
0006931246.tif 000015
【図１５】
0006931246.tif 000016